(57)【特許請求の範囲】
【請求項１】
車両内部の凹部に沿って装着されるベースブラケットと、前記凹部の開口を閉鎖または縮小する蓋体と、該蓋体が取付けられるポケットフレームと、該ポケットフレームを前記ベースブラケットに枢着するための枢着手段とからなる車両用開閉式ポケットであって、前記枢着手段は、前記ベースブラケットおよびポケットフレームにそれぞれ設けられたヒンジ部と、該ヒンジ部に挿入するヒンジピンと、蓋体に設けられたヒンジピンの端部と当接するリブを有するヒンジピンの脱落防止手段とを有することを特徴とする車両用開閉式ポケット。
【請求項２】
ポケットフレームの回動軌跡を閉位置から開位置まで規制する回動規制部材と、ベースブラケットと車両内部とを締結する複数の締結部とを有し、取付方向から見た前記締結部の重心位置が、開位置における前記回動規制部材の近傍となることを特徴とする請求項１に記載の車両用開閉式ポケット。
【請求項３】
蓋体は、真空成形によって表皮を張り込む合成樹脂基材であって、コーナー部付近の端部に切欠を設けることで、コーナー部に生じる表皮の余剰を吸収することを特徴とする請求項１または２に記載の車両用開閉式ポケット。
【請求項４】
ポケットフレームは、閉位置から所定角度回動するまで開口を縮小する方向に付勢され、所定角度以上回動すると開口を拡大する方向に付勢される付勢手段と、前記ポケットフレームが、外力を受けた際に前記所定角度以上に回動することを防ぐ誤開き防止手段とを有することを特徴とする請求項１〜３のいずれかに記載の車両用開閉式ポケット。
【請求項５】
付勢手段は、コイルスプリングであって、該コイルスプリングが伸縮することで発生する異音を抑制する異音発生抑制手段を有することを特徴とする請求項４に記載の車両用開閉式ポケット。
【請求項６】
蓋体は、溶着材によってポケットフレームに貼着され、前記蓋体もしくはポケットフレームに該溶着材の余剰を吸収する溝部を設けたことを特徴とする請求項１〜５のいずれかに記載の車両用開閉式ポケット。
【請求項７】
溶着材が千鳥配置であることを特徴とする請求項６に記載の車両用開閉式ポケット。
【発明の詳細な説明】
【０００１】
【発明の属する技術分野】
本発明は、車両用開閉式ポケットに関するものである。
【０００２】
【従来の技術】
最近では、自動車のドアトリムに小物入れ用の開閉式ポケットを設けたものが種々提案されている。このようなポケットは、蓋体の下端部をベースブラケットの下端部にヒンジピンで枢着することにより蓋体がヒンジを中心に回動し、蓋体の上端部側が自在に開閉する機構となっている（例えば、実開昭６３−６１３５４号公報や実開平１−１４５６４６号公報参照）。
【０００３】
ところが、従来の開閉式ポケットにおいては、前記蓋体を車両内部のベースブラケットに直接枢着している関係上、組み付け難いうえにヒンジピンが脱落したり全体的強度が不充分となったり使い勝手が悪くなるなどの問題点があった。
【０００４】
【発明が解決しようとする課題】
本発明は上記のような従来の問題点を解決して、組み付けが容易なうえにヒンジピンが脱落したり全体的強度が不充分となったり使い勝手が悪くなることのない優れた品質を発揮することができるドアトリムの開閉式ポケットを提供することを目的として完成されたものである。
【０００５】
【課題を解決するための手段】
上記の課題を解決するためになされた本発明の車両用開閉式ポケットは、請求項１に記載のように、車両内部の凹部に沿って装着されるベースブラケットと、前記凹部の開口を閉鎖または縮小する蓋体と、該蓋体が取付けられるポケットフレームと、該ポケットフレームを前記ベースブラケットに枢着するための枢着手段とからなる車両用開閉式ポケットであって、前記枢着手段は、前記ベースブラケットおよびポケットフレームにそれぞれ設けられたヒンジ部と、該ヒンジ部に挿入するヒンジピンと、蓋体に設けられたヒンジピンの端部と当接するリブを有するヒンジピンの脱落防止手段とを有することを特徴とするものである。
【０００６】
さらに、本発明は以下に記載の各形態に好ましく具体化できる。
請求項２に記載のように、請求項１の車両用開閉式ポケットにおいて、ポケットフレームの回動軌跡を閉位置から開位置まで規制する回動規制部材と、ベースブラケットと車両内部とを締結する複数の締結部とを有し、取付方向から見た該締結部の重心位置が、開位置における前記回動規制部材の近傍となることを特徴とする形態。
【０００７】
請求項３に記載のように、請求項１または２の車両用開閉式ポケットにおいて、蓋体は、真空成形によって表皮を張り込む合成樹脂基材であって、コーナー部付近の端部に切欠を設けることで、コーナー部に生じる表皮の余剰を吸収することを特徴とする形態。
【０００８】
請求項４に記載のように、請求項１、２または３の車両用開閉式ポケットにおいて、ポケットフレームは、閉位置から所定角度回動するまで開口を縮小する方向に付勢され、所定角度以上回動すると開口を拡大する方向に付勢される付勢手段と、前記ポケットフレームが、外力を受けた際に前記所定角度以上に回動することを防ぐ誤開き防止手段とを有することを特徴とする形態。
【０００９】
請求項５に記載のように、請求項４の車両用開閉式ポケットにおいて、付勢手段は、コイルスプリングであって、該コイルスプリングが伸縮することで発生する異音を抑制する異音発生抑制手段を有することを特徴とする形態。
【００１０】
請求項６に記載のように、請求項１、２、３、４または５の車両用開閉式ポケットにおいて、蓋体は、溶着材によってポケットフレームに貼着され、前記蓋体もしくはポケットフレームに該溶着材の余剰を吸収する溝部を設けたことを特徴とする形態。
【００１１】
請求項７に記載のように、請求項６の車両用開閉式ポケットにおいて、溶着材が千鳥配置であることを特徴とする形態。
【００１２】
【発明の実施の形態】
以下に、図面を参照しつつ本発明の好ましい実施の形態を示す。
図面は、自動車のフロントドア側のドアトリムに設けられた開閉式ポケットを示すもので、図中１はドアトリム本体のポケット形成用凹部に沿って装着される合成樹脂材よりなるコ字枠状のベースブラケットであって、このベースブラケット１の下端部両側には、後記するポケットフレーム３の両側に形成されているヒンジ片３１ｂ、３１ｂと共にヒンジ部３１を構成するヒンジ片３１ａ、３１ａが形成され、また、両側の立ち上がり部にはガイド長孔（図示せず）が設けられている。
３はベースブラケット１の下縁両側にヒンジピン３１ｃをもって下端が枢着される合成樹脂材よりなるポケットフレームであって、このポケットフレーム３は下端両側に前記したヒンジ片３１ｂ、３１ｂを有する窓枠状体の裏側に底板部と両側板部を一体に成形したもので、この両側板部には前記したガイド長孔に挿入されるガイドピン（図示せず）が突設されている。
５はポケットフレーム３の表面に貼着された状態に取付けられてポケットフレーム３と一体となって下端を支点として開閉枢動される蓋体であって、この蓋体５は合成樹脂基材の表面にクッション材を介して表皮を被装したものである。なお、前記したヒンジピン３１ｃはストレートなものとして前記したヒンジ片３１ａとヒンジ３１ｂとが嵌め合わされたヒンジ部３１に挿通されている。
【００１３】
また、図２に示されるように、前記ベースブラケット１には各ヒンジ部３１の内側に位置させてヒンジピンの位置規制リブ１１が設けられており、また、蓋体５には各ヒンジ部３１の外側に位置させてヒンジピンの脱落防止リブ５１が設けられていて、ヒンジ部３１に挿通されるヒンジピン３１ｃが位置規制リブ１１と脱落防止リブ５１との間に位置するよう構成されている。即ち、ストレートなヒンジピン３１ｃが位置規制リブ１１と脱落防止リブ５１とにより左右への動きが規制されることによって、ヒンジ片３１ａやヒンジ片３１ｂから抜け出ることが確実に防止されるよう構成されている。
【００１４】
以上のようなドアトリムの開閉式ポケットは、先ず、ベースブラケット１にポケットフレーム３を位置合わせしたうえ、ヒンジ片３１ａとヒンジ片３１ｂとよりなるヒンジ部３１に外側からヒンジピン３１ｃを通してベースブラケット１の下縁にポケットフレーム３の下端を枢着する。この時、ヒンジピン３１ｃは何もない外側から位置規制リブ１１に当たるまで押し込むのみであるので、簡単に装着することができる。次に、前記ポケットフレーム３に対し蓋体５を位置合わせしたうえ、該蓋体５をポケットフレーム３に任意の溶着手段で貼着すると、蓋体５には脱落防止リブ５１が設けられているので、ヒンジピン３１ｃが位置規制リブ１１と脱落防止リブ５１との間に挟まれることとなって、抜け落ちが確実に防止されることとなる。
【００１５】
なお、本実施の形態では、ストレートなヒンジピンの両端をリブに当接させることで、脱落防止手段となっているが、これに限らず、一端に抜け防止のための大径部位が形成されたヒンジピンに対して他端をリブに当接させてもよく、さらに、リブは用いず抜け防止のために二次加工を施しても構わない。
このように、ベースブラケット１と蓋体５とは別にポケットフレーム３を用いたことにより、簡単、且つ、確実に組み立てることができ、しかも、ヒンジピンの脱落防止手段があるので使用中にヒンジピンが脱落することはない。さらに、安価なストレート形状のヒンジピンを用い、その両端をリブに当接させることによって、簡単で安価な脱落防止を提供することができる。また、ヒンジ部分が完全に内部に隠蔽された状態となるため見栄えもよいし使い勝手もよいものとなる。
【００１６】
以下に、図面を参照しつつ本発明の各々の実施の形態につき、さらに詳細に説明する。
本発明の実施の形態では、先ず、図３〜図４に示されるように、前記ポケットフレーム３の回動軌跡を閉位置から開位置まで規制する回動規制部材２が設けられており、蓋体５は閉位置から開位置までの所定の範囲内で回動するよう構成されている。即ち、図５に示されるように、ベースブラケット１の側壁１２に案内溝１３を設けておく一方、ポケットフレーム３の側壁部３４には前記案内溝１３内を移動するボス３ａを突設してあり、このボス３ａが案内溝１３内を動くことによってポケットフレーム３が閉位置から開位置までの所定の範囲内を回動し、ポケットフレームの回動軌跡を閉位置から開位置まで規制する回動規制部材２として作用するように構成してある。なお、４は前記ポケットフレーム３に一定の弾発力を付与するためのコイルスプリング、６はポケットフレーム３が円滑かつ確実に回動するよう歯車が組み込まれたダンパー機構である。
【００１７】
また、図６に示されるように、前記ベースブラケット１と車両内部とは複数の締結部１２（図示のものでは３個の締結部１２ａ、１２ｂ、１２ｃ）で締結されており、取付方向から見た前記締結部の重心位置が、前記開位置における前記回動規制部材の近傍となるよう構成されている。即ち、図７に示されるように、締結部１２ａ、１２ｂ、１２ｃで形成した三角形（入力点エリア）の重心位置が、前記開位置における荷重の入力点となる回動規制部材（つまり、ボス３ａの中心点）の近傍となるように設計しておくことで、開位置におけるベースブラケット１の荷重を最少のものとし、例えば、リブ等の補強部材を極力少なくすることができるのである。
【００１８】
次に、図８を参照して、前記車両用開閉式ポケットにおける蓋体とポケットフレームのコーナー部の組合せ構造に係る実施形態を説明する。
先に説明したように、この種の車両用開閉式ポケットの蓋部分は、従来より板状の蓋体５をポケットフレーム３に接合して構成されるのを普通とするが、その蓋体５は、ＡＢＳ樹脂などで板状に成形された合成樹脂基材５２と、その表面を被覆する表皮５３とから形成されている。なお、ここで表皮５３とは、緩衝性を備えたクッション材を含む被覆材全般を意味する。このような構成では、図８（ａ）に示すように、合成樹脂基材５２の表面に表皮５３を適宜な貼着手段、例えば、真空成形を用いて貼着して被覆すると、図８（ｂ）に左上コーナー部分を示したように、表皮５３の端末の余剰部分が裏面に折り返されてその外周部分に折り返し部５３ａが形成されるが、コーナー部分には、表皮５３の余剰分がタックとなり、その肉厚となる重なり部５３ｃが生じることになり、この重なり部５３ｃでは、ポケットフレーム３との合わせ目が口を開いたようになり、外観上見苦しい納まりとなることがあった。
【００１９】
そこで、このような問題を解消するため、この実施形態では図８（ｃ）に示すように、蓋体５に接合されるポケットフレーム３として、そのコーナー部分に切欠部３２を設けたものを準備する。そして、この切欠部３２に前記表皮５３の余剰分であるタックの重なり部５３ｃを収容して吸収するように接合した組合せ構造を採用しており、このような組合せ構造により、ポケットフレーム３との合わせ目が開くという前記した不具合を解消できる。この場合、切欠部３２を合成樹脂基材５２の左上コーナー部分に設けた事例で説明したが、この切欠部３２を右上コーナー部分にも設けて、少なくとも蓋体５の上部両側のコーナー部分を対象とすれば、外部から目視される外観上の不具合を解消することができる。
【００２０】
次に、図９、図１０を参照して、本発明の車両用開閉式ポケットに適用されるポケットフレーム３自体の好ましい構造について具体的に説明する。
この実施形態におけるポケットフレーム３は、上記の開閉式ポケットに適用される点を前提とし、窓枠状に形成されたポケットフレーム３の裏面の開口縁辺近傍には、上縁に沿って形成された操作部３３と、左右の両縁側に内方に張り出して形成された側壁部３４、３４と、下縁に沿って張り出して形成された底板部３５とを備え、その操作部３３を中空肉厚形状に形成するとともに、その操作部３３と、側壁部３４と、底板部３５とを枠状に連結し、且つ、前記側壁部３４の外側縁部３４ｂおよび底板部３５の外側縁部３５ｂを中空肉厚リブ形状に形成した点にも構造上の特徴がある。
【００２１】
即ち、ポケットフレーム３の開口上辺に相当する操作部３３は、他の外周辺部分より肉厚形状でかつ中空に形成されており、且つ、図９に示すように、両側壁部３４、３４の上端と肉厚連結部３３ａ、３３ａによって連結されている。また、その両側壁部３４、３４は、図９に示すように、底板部３５の両端部分で折り曲げ連結部３４ａ、３４ａによって連結されている。
【００２２】
かくして、本発明のポケットフレーム３は、開口部の周囲が裏面側にある程度突出した操作部３３、側壁部３４および底板部３５が、開口部を包囲する枠状に連結し、全体が一体化しているうえに肉厚リブ形状の外側縁部３４ｂ、３５ｂを有しているので、全体の剛性はより向上し、操作時の捩じれ抵抗が大幅に改善されるという利点が得られる。
【００２３】
さらに、本発明のポケットフレーム３では、前記肉厚リブ状の外側縁部３４ｂ、３５ｂと、肉厚形状の操作部３３のそれぞれが、図９におけるＡ−Ａ断面、Ｂ−Ｂ断面およびＣ−Ｃ断面の各図である図１０に示すように、操作部３３、側壁部３４および底板部３５が中空構造に形成されているので、肉厚にすることによる重量の増加を効果的に抑制できるから、剛性を維持しながら、車両ドアを強く閉めたときに慣性力で開閉式ドアポケットが誤開きするのを防止できる利点が得られる。なお、図１０（Ｂ−Ｂ）においては、前記側壁部３４の基部３４ｃも肉厚リブ状に、且つ、中空構造に形成された好ましい態様を示す。
【００２４】
このような肉厚中空構造を形成するには、このポケットフレーム３を成形するときにガスインジェクション成形法により容易になしうる。すなわち、図９の図中の鎖線で例示するように、前記した肉厚部分を形成する金型キャビティの部分、すなわち、注入口Ｐｉから操作部３３を通り、両側壁部の外側縁部３４ｂを経て、底板部の外側縁部３５ｂの排出口Ｐｏに至る流路に、所定の合成樹脂を注入した後、ガスを注入すれば、このポケットフレーム３の肉厚部分をガスが通過して中空構造に成形することができ、他の薄肉部分は中実状の樹脂体として成形できる。
【００２５】
次に、ポケットフレーム３の回動動作について説明する。
前記ポケットフレーム３は、図３〜図５に示されるように、前記閉位置から所定角度回動するまで前記開口を縮小する方向に付勢され、所定角度以上回動すると前記開口を拡大する方向に付勢される付勢手段と、前記ポケットフレーム３が、外力を受けた際に前記所定角度以上に回動することを防ぐ誤開き防止手段とを有するものである。
即ち、ボス３ａが案内溝１３内を動くことによってポケットフレーム３が閉位置から開位置までの所定の範囲内を回動するのであるが、前記ボス３ａには付勢手段としてのコイルスプリング４が装着されており、該コイルスプリング４の弾発力が蓋体５を開く方向へ作用する場合と、蓋体５を閉じる方向へ作用する場合のターニングポイントを前方側（中心よりも蓋体５が開いた状態に近い位置）に設けた構造となっている。
【００２６】
このようにターニングポイントを前方側へずらすことにより、図１１に示されるコイルスプリングの操作力と蓋体の開度の関係を示すグラフように、蓋体５を開く場合の操作荷重を大きくし、これにより、悪路走行時における蓋体５の余分な振動や誤開きを防止することができ、また、蓋体５を必要以上に強く閉じた場合にもビビリ音の発生がないよう構成されている。
【００２７】
また、図示の実施の形態のものでは前記付勢手段がコイルスプリング４であり、該コイルスプリング４が伸縮することで発生する異音を抑制する異音発生抑制手段を有する構造となっている。即ち、図１２に示されるように、コイルスプリング４の各コイルは隣接するコイルと接触しないように一定間隔を隔てたものとなっており、各コイル同士の接触による異音の発生を抑制するよう構成されている。しかも、該コイルスプリング４の一端をベースブラケット側のバネ保持部材１４において先端が突出した状態で保持させることで、より異音の発生を抑制するよう構成されている。
【００２８】
具体的には、図１３、図１４に示されるように、バネ保持部材１４をコイルスプリング４を案内する案内溝１４ａを形成した上板１４ｂと、該上板１４ｂとの間でコイルスプリング４の挟持部１４ｃを形成する下板１４ｄとからなり、該挟持部１４ｃの前方にはコイルスプリング４の先端部を非接触の状態で収納する空間部１４ｅを形成した構造としてある。そして、このような構造とすることにより、コイルスプリング４の保持部分を極力短いものとするとともに、コイルスプリング４の先端を何ら接触しないよう空間部１４ｅに逃がすことで、蓋体５の開閉操作時におけるコイルスプリング４の摩擦による異音の発生を防止するのである。
【００２９】
さらに、前記コイルスプリング４のコイル部内にスラブウレタン等の振動吸収材を挿入しておけば、スプリング作動時における軋み音等の発生を防止することができ好ましい。なお、図１２に示されるように、コイルスプリング４の両腕４ａ、４ａはコイルの中心で一直線になるよう各々コイル側へ屈曲されており、スプリングの剛性アップが図られて撓みや捩じれの発生が防止された構造となっている。
【００３０】
次に、図１５、図１６を参照して、蓋体５とポケットフレーム３との好ましい接合構造に係る実施形態について説明する。
この実施形態における蓋体５とポケットフレーム３との接合構造は、自らが溶融することで相互を接合する溶着材を介するものであり、且つ、その溶着面の外側には溝部を設けている。
例えば、図１５に示すように、ポケットフレーム３の外周辺部に予め同材質の溶着用リブ３６を形成しておき、これに蓋体５を当接させて外部から超音波などの振動を前記溶着用リブ３６に付与して加熱、溶融させることにより両者を接合するものであり、このように合成樹脂材自身が溶着した溶着材により接合してあるので、強固な接合強度を得ることができる。
【００３１】
ここで蓋体５の上部と、ポケットフレーム３の上部の操作部３３との接合構造について、その断面説明図である図１６によって説明すると、表皮５３を貼着した合成樹脂基板５２からなる蓋体５の上部先端部分には、前記した操作部３３を押し当てるように配置し、前記溶着用リブ３６（ここでは、２個の溶着用リブ３６ａ、ｂが見える）をその背後から振動ホーン６１でもって押し、溶着用リブ３６を加振、溶融させてその溶融材で接合する。本実施形態では、接合時に溶融した溶着材の余剰分が押し出されてくるが、この溶着面の外側に溝部５４が設けてあるので、余剰分はそこで吸収され外部に流出することがなく外観上好ましい仕上がりが得られる。
【００３２】
また、前記溶着用リブ３６などの溶着部材の配列においては、幅の狭い部位で複数の溶着部材を鎖線状に並べざるを得ない場合でも、非直線状になるように配列するのが好ましい。このように非直線状に配列すれば、複数の溶着用リブ３６がある平面に分布して配置されることになるので、蓋体５に対する接合時の姿勢を所定の形に設定できるから、誤差のない接合仕上がりが得られる利点がある。このような、溶接用リブ３６の配列では、例えば、図１５のポケットフレーム操作部３３に配列された溶着用リブ３６のように、千鳥状配置にするのが最も好ましい。
なお、本発明では、前記溶着用リブ３６や溝部５４は、蓋体５側またはポケットフレーム３側のいずれか一方に設けてもよく、別々に設けてもよい。
【００３３】
次に、図１６を参照して、ポケットフレーム３に蓋体５を取付ける手段として、蓋体５の上部におけるポケットフレーム３との接合構造の好ましい実施形態について説明する。
ここで蓋体５の上部と、ポケットフレーム３の上部の操作部３３との接合部分は、先の図１６にも示されているように、表皮５３を貼着した合成樹脂基板５２からなる蓋体５の上部先端部分に、肉厚に形成された前記操作部３３を押し当てるように配置して溶着接合されるのであるが、その場合、操作部３３の先端のパーティングライン部３７の設定位置を蓋体５側に偏向させておくことが重要である。
【００３４】
このパーティングライン部３７は、成形金型の合わせ目に相当する部位であり、成形時のはみ出し、いわゆる「バリ」が生じやすい。ところが、図１７（Ａ）に例示するように、この操作部３３を操作して開閉式ポケットを開閉するときに、この部分に中側の指先が当接することになり、ここにパーティングライン部を設けておくとスムーズな感触が得られず操作時のフィーリングを損なうことになり勝ちであったが、パーティングライン部３７の設定位置を蓋体５側に偏向させてある本実施形態によれば、このような好ましくない感触を解消することができるのである。
【００３５】
また、操作部３３の下部には段差３８を設けて、敷き込まれたクッションシート５５に接続させれば、図１７（Ｂ）に示すように、クッションシート５５の厚みが段差３８に吸収され、差し込まれた手指の先端の感触を柔らかなものとし、フィーリングを向上できる。ここで、段差３８の高さは、クッションシート５５として用いられる、厚手の織物または不織布、ニードルパンチなど、手触りのよいカーペットのような適宜なシート材の厚さに応じて設定すればよい。
【００３６】
この蓋体５として、ＡＢＳ樹脂からなる板状の合成樹脂基材５２にオレフィン系樹脂（ＴＰＯ）からなる表皮５３を組合わせるのが好適である。この場合には、オレフィン系樹脂は、可塑剤など添加剤を含まないので、合成樹脂基材５２側に可塑剤の移行が生ぜず、蓋体として、変色、剥がれ、亀裂などの老化現象が生じ難くて耐久性に優れるという利点が得られる。この組み合わせは、ポケットフレーム３もＡＢＳ樹脂で形成するのが好ましい。
【００３７】
さらに、図１８によって、ポケットフレーム３に蓋体５を取付ける手段として、蓋体５の上部におけるポケットフレーム３の操作部３３との好ましい係合構造に係る実施形態について説明する。
この実施形態では、蓋体５の上部をポケットフレーム３の上部の操作部３３に取付ける場合において、図１８に示すように、表皮５３を貼着した合成樹脂基板５２からなる蓋体５の上部先端部分に、肉厚に形成された前記操作部３３を押し当てるように配置するに際して、前記操作部３３の接合面側に凹部３９を設けるとともに、合成樹脂基板５２側にはこの凹部３９に嵌め込まれる突起５６を設けておき、この突起５６を凹部３９に嵌め合わせて係合させるところに特徴がある。
【００３８】
この実施形態では、前記構成により、先ず、蓋体５をポケットフレーム３に取付けるに際して、相互の位置ずれを矯正して自動的に所定の位置関係の組み合わせられるという利点が得られる。さらに、この構造を採用することによって、この開閉式ポケットの開閉操作時に生じやすい部品相互のずれから生じるきしみ音を顕著に軽減できるという利点が得られた。その理由は、凹部３９に突起５６が嵌められて係合状態が生じるので、蓋体５とポケットフレーム３との取付状態が強化され、全体の剛性が改善されるからと思われる。
【００３９】
【発明の効果】
以上の説明からも明らかなように、本発明の車両用開閉式ポケットは、蓋体を車両内部に装着されるベースブラケットに直接枢着することなくポケットフレームを用いるようにして、車両内部の凹部に沿って装着されるベースブラケットと、前記凹部の開口を閉鎖または縮小する蓋体と、該蓋体が取付けられるポケットフレームと、該ポケットフレームを前記ベースブラケットに枢着するための枢着手段とから車両用開閉式ポケットを形成したことにより、組み付けが容易なうえにヒンジピンが脱落したり全体的強度が不充分となったり使い勝手が悪くなることのなく、また、前記した枢着手段を、前記ベースブラケットおよびポケットフレームにそれぞれ設けられたヒンジ部と、該ヒンジ部に挿入するヒンジピンと、該ヒンジピンの脱落防止手段とを有するものとしたので、安価なストレートピンを用いても確実に抜け防止機能を発揮することができ、特に、脱落防止手段を、蓋体に設けられたヒンジピンの端部と当接するリブとしたものは、ヒンジ部分が外部へ露出することもなく優れた外観品質を発揮することができるものである。
さらに、本発明の実施形態によれば、１）ベースブラケットの荷重を最少にできるので特別な補強部材を設ける必要がない、２）蓋体のコーナー部の外観を整えることができる、３）捩れに強いポケットフレームが得られる、４）蓋体とポケットフレームとを所定の姿勢に維持しながら優れた接合強度で接合できる、５）操作時のフィーリングに優れる、６）蓋体とポケットフレームとの接合時に位置ずれを自動的に矯正できるなどの優れた効果を奏するのである。
よって本発明は従来の問題点を一掃した車両用開閉式ポケットとして、産業の発展に寄与するところは極めて大である。
【図面の簡単な説明】
【図１】  本発明の実施の形態を示す分解斜視図である。
【図２】  本発明の実施の形態を示す要部の断面図である。
【図３】  蓋体を閉じた状態を示す断面図である。
【図４】  蓋体を開いた状態を示す断面図である。
【図５】  回動規制部材を示す要部の斜視図である。
【図６】  ベースブラケットの締結を示す斜視図である。
【図７】  回動規制部材とベースブラケットの締結部の位置関係を示す説明図である。
【図８】  本発明の蓋体とポケットフレームのコーナー部の組合せ構造の説明図で、（ａ）は表皮を合成樹脂基材に貼着する前の状態を示す分解斜視図、（ｂ）は表皮を貼着した合成樹脂基材をポケットフレームに取り付ける前の状態を示す分解斜視図、（ｃ）はコーナー部分に表皮端末の重なり部がコーナー部分に設けた切欠部を収容させてポケットフレームに取付けた状態を示す分解斜視図である。
【図９】  本発明のポケットフレームを説明するための要部斜視図である。
【図１０】  本発明のポケットフレームを説明するための説明図で、（ａ）は図９におけるＡ−Ａ矢視図、（ｂ）は図９におけるＢ−Ｂ矢視図、（ｃ）は図９におけるＣ−Ｃ矢視図である。
【図１１】  コイルスプリングの操作力と蓋体の開度の関係を示すグラフである。
【図１２】  コイルスプリングを示す正面図である。
【図１３】  コイルスプリングの保持状態を示す断面図である。
【図１４】  コイルスプリングの保持状態を示す斜視図である。
【図１５】  本発明の蓋体とポケットフレームとの接合前の状態を示す分解斜視図である。
【図１６】  本発明の蓋体とポケットフレームの操作部とを溶着により取付けた接合構造を説明するための要部斜視図である。
【図１７】  本発明の開閉式ポケット操作時の手指の係り具合を示す説明図で、（Ａ）はパーティングライン部の設定位置を蓋体側に偏向させて開閉式ポケット操作時におけるフィーリングが損なわれることがないようにした場合の部分断面図、（Ｂ）は操作部の下部に設けた段差部分にクッションシ−トを敷き込んで開閉式ポケット操作時におけるフィーリングが損なわれることがないようにした場合の部分断面図である。
【図１８】  本発明の蓋体とポケットフレームの操作部とを係合により取付けた係合構造を説明するための要部断面図である。
【符号の説明】
１  ベースブラケット、１１  位置規制リブ、１２  側壁部、１３  案内溝、
２  回動規制部材、３  ポケットフレーム、３ａ  ボス、３１  ヒンジ部、
３１ａ、３１ｂ  ヒンジ片、３１ｃ  ヒンジピン、３２  切欠部、
３３  操作部、３３ａ  肉厚連結部、３４  側壁部、３４ａ  折り曲げ連結部
３４ｂ  外側縁部、３４ｃ  基部、３５  底板部、３５ｂ  外側縁部、
３６、３６ａ、３６ｂ  溶着用リブ、３７  パーティングライン部、
３８  段差、３９  凹部、５  蓋体、５１  脱落防止リブ、
５２ 合成樹脂基材、５３  表皮、５３ａ  折り返し部、５３ｃ  重なり部、
５４  溝部、５５  クッションシ−ト、５６  突起、６  ダンパー、
６１  振動ホーン、  Ｐｉ  注入口、Ｐｏ  排出口
【図１】
0003712252.tif 000002
【図２】
0003712252.tif 000003
【図３】
0003712252.tif 000004
【図４】
0003712252.tif 000005
【図５】
0003712252.tif 000006
【図６】
0003712252.tif 000007
【図７】
0003712252.tif 000008
【図８】
0003712252.tif 000009
【図９】
0003712252.tif 000010
【図１０】
0003712252.tif 000011
【図１１】
0003712252.tif 000012
【図１２】
0003712252.tif 000013
【図１３】
0003712252.tif 000014
【図１４】
0003712252.tif 000015
【図１５】
0003712252.tif 000016
【図１６】
0003712252.tif 000017
【図１７】
0003712252.tif 000018
【図１８】
0003712252.tif 000019